(57)【要約】【課題】  遊技店に対しては、小型軽量化されて入替作業が容易であり、しかも低価格が図られ、客に対しては、新機種として印象づけることのできるメダル遊技機を提供する。【解決手段】  上部ユニット２とこれに着脱自在に設けた下部ユニット３とからなり、上部ユニット２は遊技機能の主体であるリールユニット４、これの制御ボックス５を主に収納してなり、下部ユニット３はメダルを払い出す機能を有するメダルホッパー６、電源ボックス７を主に収納してなるとともに、上部ユニット２の前面には上扉１１が、また下部ユニット３の前面には下扉３１がそれぞれ装着されてなり、入替は上部ユニット２のみにすることで一新され、小型軽量として低価格を実現し、かつ入替作業を短縮する。【選択図】  図２
2005095674.tif 000002
【特許請求の範囲】
【請求項１】
上部ユニットとこれに着脱自在に設けた下部ユニットとからなり、前記上部ユニットは遊技機能の主体であるリールユニット、これの制御ボックス及びこれらに附属する機器を収納してなり、前記下部ユニットは外部からメダルの払出信号を受けてメダルを払い出す機能を有するメダルホッパー、電源ボックス及びこれらに附帯する機器を収納してなるとともに、前記上部ユニットの前面には上扉が、また前記下部ユニットの前面には下扉が、それぞれ装着されてなることを特徴とする分離型メダル遊技機。
【請求項２】
前記上部ユニットと前記下部ユニットとが、ネジ締結手段によって着脱自在に組みつけられてなることを特徴とする請求項１に記載の分離型メダル遊技機。
【発明の詳細な説明】
【技術分野】
【０００１】  本発明は、モデルチェンジに容易に対応することができて、しかも低価格にて提供することのできる分離型メダル遊技機に関する。
【背景技術】
【０００２】  従来、この種のメダル遊技機は、客が店内に入り、メダル遊技機列の端に設置されているメダル貸機に現金を投入してメダルを借り、このメダルを投入して遊技を行なうようになっている。そして、客が遊技を続けてメダルが無くなると、今度はメダル遊技機間に設置されている台間メダル貸機に現金を投入してメダルを借り、客はこのメダルをメダル遊技機に投入して遊技を続行していた。一方、店側は、設置してあるメダル遊技機が客からあきられ、売上が減少する等のきざしが現われると、メダル遊技機を丸ごと入替えを行なうことで対応していた。
【発明の開示】
【発明が解決しようとする課題】
【０００３】  上述した従来のメダル遊技機では、店側にとってメダル遊技機が客にあきられたからといって、丸ごと入替えなければならないことは経営的に重大な負担であり、更に、メダル遊技機自体の重量もかなり重く、既設置のメダル遊技機を撤去する前にメダルホッパー内にあるメダルを全て抜き取る必要があり、この抜き取りに長時間かかり、そのあと設置場所から撤去し、店内から搬出し、運搬し、廃棄するまでの一連の作業が厄介である。加えて、新規メダル遊技機の運搬、店内への搬入、据付けの一連の作業もその重量ゆえ厄介であり、今度は新規メダル遊技機のメダルホッパー内に所定量（通常約２０００枚）のメダルを入れる作業もある。従って、メダル遊技機の入替は、その作業時間が長時間にわたり、入替日数が長くかかり、結果的に店の営業日数が減ってしまうことになる。【０００４】  そこで、本発明は、上記事情に鑑みてなされたもので、店側にとっては新規メダル遊技機を簡素化して低価格とし、軽量化を図ることで入替えを容易とし、メダルの抜き取り新規詰め込みを必要なくし、入替え作業期間を短縮して営業日数を確保し、客側にとっては新機種に一新された遊技機として認識されるようにした分離型メダル遊技機を提供することを課題とする。
【課題を解決するための手段】
【０００５】  上記課題を解決するために、本発明の分離型メダル遊技機は、上部ユニットとこれに着脱自在に設けた下部ユニットとからなり、前記上部ユニットは遊技機能の主体であるリールユニット、これの制御ボックス及びこれらに附属する機器を収納してなり、前記下部ユニットは外部からメダルの払出信号を受けてメダルを払い出す機能を有するメダルホッパー、電源ボックス及びこれらに附帯する機器を収納してなるとともに、前記上部ユニットの前面には上扉が、また前記下部ユニットの前面には下扉が、それぞれ装着されてなることを特徴とする。また、前記分離型メダル遊技機は、前記上部ユニットと前記下部ユニットとが、ネジ締結手段によって着脱自在に組みつけられてなることを特徴とする。
【発明の効果】
【０００６】  上記構成になる分離型メダル遊技機によれば、入替時はメダルを収容しているメダルホッパーのある下部ユニットから、遊技機能の主体を収納している上部ユニットを、この上部ユニットに装着された上扉とともに取り外し、下部ユニットに新規の上部ユニットを据付けることで、入替を終了することができる。また、上部ユニットと下部ユニットとは、ネジ締結手段によって締結されることによって、簡単な方法でもって一体化されたメダル遊技機として提供できるようになる。【０００７】  本発明の分離型メダル遊技機は、遊技機能の主体を収納している上部ユニットのみを入替えするだけであるから、機器費用を低価格にすることが可能になる。また、小型、軽量となるから、撤去、搬出、運搬、廃棄が容易となり、新規上部ユニットの運搬、搬入、据付もきわめて容易となり、更にメダルの抜き取り、新規詰め込みも必要なくなり、全体として入替のための作業期間を短縮でき、営業日数を従来の場合より長くすることができる。
【発明を実施するための最良の形態】
【０００８】  以下、本発明の実施例を添付図面に基づいて詳述する。図１は、本発明の分離型メダル遊技機であって、一例としてカード対応式のメダル遊技機を示す正面図、図２は、本発明の分離型メダル遊技機を分解した状態を示す斜視図である。両図において、分離型メダル遊技機１は、上部ユニット２と、これにネジ締結手段によって着脱自在に形成された下部ユニット３とからなる。そして、上部ユニット２は、遊技機能の主体であるリールユニット４、これの制御ボックス５及びこれらに附属する機器を収納してなり、下部ユニット３は、外部からメダルの払出信号を受けてメダルを払い出す機能を有するメダルホッパー６、電源ボックス７及びこれらに附帯する機器を収納してなるものである。【０００９】  本実施例において、上部ユニット２と下部ユニット３とを締結するネジ締結手段としてボルト及びナットが採用されている。そして、上部ユニット２は、ボルトナット締付用の４個の孔１０ａを有した上部箱体１０に上扉１１を開閉可能に取り付け、この上部箱体１０内にリールユニット４、制御ボックス５等を収納してなる。【００１０】  このリールユニット４は、支持台１２に複数基、通常３基の回転体１３を回転自在に支持し、これら３基の回転体１３をそれぞれ回転させるための３基の駆動モータ（図示せず）を有し、この回転体１３はリール１４に絵柄の入ったシート１５を巻き付けてなる。このシート１５の絵柄は、上扉１１に設けた窓１６から覗けるようになっている。【００１１】  この上扉１１には上記の窓１６以外にメダル１７の投入口１８が設けられ、更に回転体１３を回転させるためのゲームスタートボタン１９、３基の回転体１３をそれぞれ停止させるための３個のゲームストップボタン２０、メダル１７の掛け数を決めるメダルセレクトボタン２１、最大５０枚までメダルを予め投入できるメダルクレジットボタン２２、投入メダル数を表示するメダル数表示画面２３が設けられている。【００１２】  制御ボックス５は、上記各種ボタン１９、２０、２１、２２、メダル数表示画面２３及び投入口１８に近在するメダルカウンター（図示せず）等に電気的に接続して、全体として上部ユニット２内での遊技機能を制御している。【００１３】  下部ユニット３は、ボルトナット締付用の４個の孔３０ａを有した下部箱体３０に下扉３１を開閉可能に取り付け、この下部箱体３０内にメダルホッパー６、電源ボックス７を収納してなる。【００１４】  このメダルホッパー６は、従来のメダル遊技機内に設置されていたホッパーと、従来の台間メダル貸機内に設置されていたホッパーと、の双方の機能を持ち合せるものである。すなわち、このメダルホッパー６は、分離型メダル遊技機１に並設した分離型の台間メダル貸機３２からのメダルの払出信号に基づき、メダルホッパー６下部からメダル１７を払い出すものである。【００１５】  一方、この台間メダル貸機３２は、従来例のものからメダルホッパーを取り除き、単にカードをリーダ・ライタする機能のみを有するものである。従って、この台間メダル貸機３２は巾寸法を小さくでき、パチンコ台に使用している玉貸機を流用することができるものである。この台間メダル貸機３２は、前面にカード挿入口３３を有し、更��、そのカード金額表示画面３４を有している。【００１６】  なお、メダルホッパー６と、前記投入口１８とはメダルシュート３５により接続し、遊技に使用したメダル１７は、メダルホッパー６がメダル１７で満杯になると、オーバーフロー口３６からこぼれ回収器具３７を通って下部のメダル回収通路に落ちる。逆に、メダルホッパー６からメダルが多く払い出されて、メダルホッパー６内のメダル１７の貯留量が所定量以下になると、上部にあるメダル補給器具３８からメダルホッパー６にメダル１７の不足分を補給される。従って、この分離型メダル遊技機１は、常時下部ユニット３内にメダル１７が一定量貯留されることになる。また、下扉３１には灰皿３９、メダル受皿４０が設置されている。【００１７】  次に上記構成になる分離型メダル遊技機１の利用方法について述べる。分離型メダル遊技機１を入替する場合、遊技機能の主体を収納している上部ユニット２のみを取り替えれば良いから、ボルトナット等を外し下部ユニット３から上部ユニット２を取り外して、上部ユニット２を店外搬出、運搬、廃棄する。そのあと、新規の上部ユニット２を運搬し店内に搬入して、下部ユニット３にボルトナット等のネジ締結手段により取り付けるだけで良い。【００１８】  一方遊技する場合、客は、台間メダル貸機３２のカード挿入口３３からカードを挿入し、借りるメダル数を指定すると、台間メダル貸機３２からメダル１７の払出信号がメダルホッパー６に出され、このメダルホッパー６からメダル受皿４０に直接メダル１７が払い出される。客は投入口１８にメダル１７を投入して遊技を行なう。投入されたメダル１７はメダルシュート３５からメダルホッパー６に入り、大当りしたり、あるいは台間メダル貸機３２からの払出信号などにより、メダルホッパー６からメダル受皿４０に直接メダル１７が払い出され、この間メダル１７は循環することになる。
【図面の簡単な説明】
【００１９】
【図１】  本発明の分離型メダル遊技機を示す正面図。
【図２】  本発明の分離型メダル遊技機を分解した状態を示す斜視図。
【符号の説明】
【００２０】  １    分離型メダル遊技機
２    上部ユニット
３    下部ユニット
４    リールユニット
５    制御ボックス
６    メダルホッパー
７    電源ボックス
１１  上扉
３１  下扉
【図１】
2005095674.tif 000003
【図２】
2005095674.tif 000004